(57)【特許請求の範囲】
【請求項１】
発光部の光出射窓部を覆う形状を呈し、光出射窓部から入射した光の出射方向を拡散させて外部に出射する光学作用面を有する前面部と、該前面部の両端部からそれぞれ後方に一体的に延出して形成された一対の折曲部とからなり、該折曲部の内面に発光部との係合用の突部が形成されて発光部に着脱自在に装着されるストロボ装置用の光拡散アダプタにおいて、前記前面部の光入射面のうち、前記折曲部の基端部近傍を除く領域に、第一の光学作用面が形成されると共に、前記前面部の光出射面のうち、前記折曲部の基端部近傍領域に、第二の光学作用面が形成されてなることを特徴とするストロボ装置用の光拡散アダプタ。
【請求項２】
前記前面部の光入射面における非光学作用面と、前記第二の光学作用面とが対向するよう形成されてなる請求項１記載のストロボ装置用の光拡散アダプタ。
【請求項３】
前記第一の光学作用面と前記第二の光学作用面とが、一部で重なるよう形成されてなる請求項１記載のストロボ装置用の光拡散アダプタ。
【請求項４】
前記光学作用面が、四角錐形状の突起を連ねることによって構成されてなる請求項１乃至３の何れかに記載のストロボ装置用の光拡散アダプタ。
【請求項５】
前記第一の光学作用面における四角錐形状の突起の頂角と、前記第二の光学作用面における四角錐形状の突起の頂角とが、略同一角度に形成されてなる請求項４記載のストロボ装置用の光拡散アダプタ。
【請求項６】
前記第一の光学作用面における四角錐形状の突起の頂角が、前記第二の光学作用面における四角錐形状の突起の頂角よりも大きな角度に形成されてなる請求項４記載のストロボ装置用の光拡散アダプタ。
【発明の詳細な説明】
【０００１】
【発明の属する技術分野】
本発明は、写真撮影の際の人工光源として使用されるストロボ装置の発光部に装着され、発光部からの出射光を広角に拡散させることができる光拡散アダプタに関し、特にストロボ装置の発光部に着脱自在に装着される光拡散アダプタに関する。
【０００２】
【従来の技術】
従来より、写真撮影の際に被写体を照明する人工光源としてストロボ装置は周知であり、このストロボ装置の発光部に装着され、発光部からの出射光を広角に拡散させるための光拡散アダプタ、いわゆるワイドパネルなるものも種々提供されている。
【０００３】
例えば、特開平１１−３４４７４９号公報には、発光部の光出射窓部の壁面に直接装着される平板形状の光拡散アダプタや、発光部の光出射窓部の前面に配置される平板形状の前面部、及び前面部の両側端部から略直角に折れ曲がり、発光部の側壁面に設けられた凹部と係合する突部を有する折曲部とからなる断面視略コ字状の光拡散アダプタが開示されている。
【０００４】
これら光拡散アダプタは、発光部の光出射窓部に対応する部位に例えば四角錐形状からなる小さな凹部が複数形成された金型を用い、例えばアクリル等の透光性樹脂をこの金型内に流し込んだ後、金型内で凝固させた結果得られる成型品であり、発光部の光出射窓部と対面する領域には、金型の凹部によって四角錐形状からなる複数の突起が縦横に整列されて形成され、この四角錐形状の突起の集合体によって拡散特性を備えた光学作用面が構成されている。
【０００５】
尚、前記光学作用面は、通常、光拡散アダプタのうち、被写体側の面、即ちストロボ装置に装着した状態における外側の面（光出射面）ではなく、発光部の光出射窓部と対向する内側の面（光入射面）に形成するのが一般的である。
【０００６】
これは、光学作用面として四角錐形状の突起群を採用する場合、同一の頂角を有する四角錐形状であっても、外側より内側の面の方が大きな拡散特性を得られるからであり、換言すれば、外側の面に四角錐形状の突起を形成して内側の面の場合と同一の拡散特性を得ようとするならば、頂角をさらに小さくする必要があり、その分、金型の製造が困難となるからである。
【０００７】
【発明が解決しようとする課題】
ところで、光学作用面として四角錐形状の突起群を採用する場合、前者の光拡散アダプタは、平板形状であるから、発光部の光出射窓部と対向する光入射面の略全域にわたって形成することができるが、光出射窓部の壁面に係合構造を形成する必要があり、その分、構成が複雑化してコスト悪化を生じていた。
【０００８】
一方、後者の光拡散アダプタは、発光部の一部を利用して係合構造を形成するため、ストロボ装置が複雑化することはないが、金型の必然的形態による影響を受け、適用対象となるストロボ装置が限定されるという問題がある。
【０００９】
詳細に言及すると、折曲部の内面の突部に対する金型の抜き方向と、前面部の内面の四角錐形状突起に対する金型の抜き方向とが一致しないため、突部を形成するための金型と上記突起を形成するための金型とを分割せざるを得ず、その結果、前面部の内面の両端部には、突部を形成するための金型によって光学作用面を形成できない領域が必然的に発生することとなる。
【００１０】
この非突起形成領域は、当然のことながら突起形成領域のような拡散特性を得ることができない。
【００１１】
したがって、上記後者の光拡散アダプタが採用されるストロボ装置としては、例えば発光部の長手方向（横方向）端部の側方にハウジング等の部材が所定幅で存在するタイプ、すなわち、非突起形成領域が光出射窓部から側方に外れ、ハウジング等の部材（非光出射領域）と対面するタイプのストロボ装置であることが好ましく、実際、そのようなストロボ装置において採用されてきた。
【００１２】
しかしながら、発光部における光を出射しない領域は、ストロボ装置から見れば、発光部の形状を大型化していることに他ならず、近年においては、ユーザの要望もあって、ハウジング等の部材を小さく（非光出射領域を無く）して、ストロボ装置全体を小型化する傾向にある。
【００１３】
このため、小型化されたストロボ装置に上記後者の光拡散アダプタを採用すると、前面部のうちの非突起形成領域が発光部の光出射窓部の両端部に所在し、ここを通過する光、特に発光部の光軸に対して０度（平行）方向の光が発生することになり、そのまま拡散されることなく、前面部から出射されることとなる。この現象は、ストロボ装置の配光ムラの原因となるものである。
【００１４】
そこで、本発明は、上記の如き従来の問題点に鑑みてなされたもので、小型化されたストロボ装置に装着されても、発光部の光出射窓部の全面に光学作用面が所在して配光ムラの発生を好適に防止することができる光拡散アダプタを提供することを課題とする。
【００１５】
【課題を解決するための手段】
本発明によるストロボ装置用の光拡散アダプタは、発光部の光出射窓部を覆う形状を呈し、光出射窓部から入射した光の出射方向を拡散させて外部に出射する光学作用面を有する前面部と、該前面部の両端部からそれぞれ後方に一体的に延出して形成された一対の折曲部とからなり、該折曲部の内面に発光部との係合用の突部が形成されて発光部に着脱自在に装着されるストロボ装置用の光拡散アダプタにおいて、前記前面部の光入射面のうち、前記折曲部の基端部近傍を除く領域に、第一の光学作用面が形成されると共に、前記前面部の光出射面のうち、前記折曲部の基端部近傍領域に、第二の光学作用面が形成されてなることを特徴として構成される。
【００１６】
これにより、発光部の光出射窓部から出射された光のうち、両端部を除く大半の光は、第一の光学作用面により広角に拡散されて光出射面から出射され、一方、両端部の光は、第二の光学作用面により広角に拡散されつつ光出射面から出射されることになり、配光ムラの発生を好適に防止することができる。
【００１７】
【発明の実施の形態】
本発明の請求項１に記載の発明は、発光部の光出射窓部を覆う形状を呈し、光出射窓部から入射した光の出射方向を拡散させて外部に出射する光学作用面を有する前面部と、該前面部の両端部からそれぞれ後方に一体的に延出して形成された一対の折曲部とからなり、該折曲部の内面に発光部との係合用の突部が形成されて発光部に着脱自在に装着されるストロボ装置用の光拡散アダプタにおいて、前記前面部の光入射面のうち、前記折曲部の基端部近傍を除く領域に、第一の光学作用面が形成されると共に、前記前面部の光出射面のうち、前記折曲部の基端部近傍領域に、第二の光学作用面が形成されてなることを特徴として構成したものであり、発光部の光出射窓部の全域に対して光学作用面を存在させることができる作用を有する。
【００１８】
本発明による請求項２に記載の発明は、請求項１のストロボ装置用の光拡散アダプタにおいて、前面部の光入射面における非光学作用面と第二の光学作用面とが対向するよう形成して構成したものであり、請求項１に記載した発明と同一の作用を有する。
【００１９】
本発明による請求項３に記載の発明は、請求項１のストロボ装置用の光拡散アダプタにおいて、第一の光学作用面と第二の光学作用面とが、一部で重なるよう形成して構成したものであり、請求項１に記載した発明と同一の作用を有する。
【００２０】
本発明による請求項４に記載の発明は、請求項１ないし３のストロボ装置用の光拡散アダプタにおける光学作用面を、四角錐形状の突起を連ねることによって構成したものであり、請求項１ないし３に記載した発明と同一の作用を有する。
【００２１】
本発明による請求項５に記載の発明は、請求項４のストロボ装置用の光拡散アダプタにおいて、第一の光学作用面における四角錐形状の突起の頂角と、第二の光学作用面における四角錐形状の突起の頂角とを略同一角度に形成して構成したものであり、請求項４に記載した発明と同一の作用を有すると共に、金型の加工が容易で、コスト削減を図ることができる作用を有する。
【００２２】
本発明による請求項６に記載の発明は、請求項４のストロボ装置用の光拡散アダプタにおいて、第一の光学作用面における四角錐形状の突起の頂角が、第二の光学作用面における四角錐形状の突起の頂角よりも大きな角度に形成して構成したものであり、請求項４に記載した発明と同一の作用を有すると共に、第一の光学作用面を透過する光と第二の光学作用面を透過する光の拡散特性を略等しくでき、全体的に均一な拡散光を得ることができる作用を有する。
【００２３】
（実施例）
以下、本発明の一実施の形態について、図面を参照しながら説明する。
【００２４】
図１は本発明の一実施形態に係るストロボ装置及び光拡散アダプタの外観斜視図を示し、図２は同実施形態の光拡散アダプタの背面図、図３は同実施形態の光拡散アダプタの正面図、図４は図２のＡ−Ａ線断面図、図５は図２のＢ−Ｂ線断面図を夫々示している。
【００２５】
図１に示したように、ストロボ装置の本体１は、図示していないカメラの取付けシュー部に装着されるシュー部２を下方に備えると共に、図示していない電源を含む電気回路構成を内蔵した本体部３、図示していない棒状光源、反射傘等を内蔵し棒状光源の発する光を、光出射窓部５を構成する光学部材を介して外部の図示していない被写体に向けて出射する発光部４を備えている。
【００２６】
光出射窓部５を構成する光学部材は、横長の略方形状に形成され、また、発光部４の外観を構成するハウジングは、小型化を目的として光学部材５と略同一の断面形状を有しており、したがって、光学部材の横方向端部の側方には、ハウジングの幅寸法がほとんどない状態、言い換えれば、光学部材の横方向端部と発光部４のハウジングの側壁面とが近接した状態となっている。
【００２７】
また、発光部４の両側壁面には、補助部材としての光拡散アダプタ７を発光部４の光出射窓部５の前方に位置させるために機能する一対の係止凹部６，６が形成されている。
【００２８】
光拡散アダプタ７は、図２ないし図５にも示したように、発光部４の光出射窓部５を覆う形状を呈し、光出射窓部５の前方に位置することにより光出射窓部５から出射された光の出射方向を拡散させて外部に出射する前面部８と、該前面部８の相対向する端部から光出射窓部５方向に一体的に延出して形成された折曲部９とを備えて略コ字形状の断面を有して形成されている。
【００２９】
前面部８の光入射面１０のうち、前記折曲部９の内面に形成された係止凹部６，６係入用の突部１２を形成する金型の抜き方向の関係で制限される非突起形成領域１０Ｂ，１０Ｂ以外の領域には、複数の四角錐形状からなる第一の突起１１，…が縦横に連なって形成されており、すなわち拡散作用を伴う第一の光学作用面１０Ａが構成されている。
【００３０】
なお、非突起形成領域１０Ｂは、折曲部９の基端部近傍、すなわち、光入射面１０の両側端部に縦長の帯状となって形成された領域であり、拡散作用を伴わない非光学作用面を構成し、一方、上記第一の光学作用面１０Ａは、非突起形成領域１０Ｂ，１０Ｂを除く横長の帯状となって形成された突起形成領域ということもできる。
【００３１】
これに対し、前面部８の光出射面１３のうち、非突起形成領域１０Ｂと対向する領域には、複数の四角錐形状からなる第二の突起１４，…が縦横に連なって形成されており、すなわち拡散作用を伴う第二の光学作用面１３Ｂ，１３Ｂが構成されている。
【００３２】
なお、突起形成領域１０Ａと対向する領域１３Ａは、第二の光学作用面１３Ｂ，１３Ｂを除く横長の帯状となって形成された平面状の非突起形成領域であり、拡散作用を伴わない非光学作用面を構成し、一方、第二の光学作用面１３Ｂ，１３Ｂは、折曲部９の基端部近傍、すなわち、光出射面１３の両側端部に縦長の帯状となって形成された突起形成領域ということもできる。
【００３３】
第一の光学作用面１０Ａにおける第一の突起１１の頂角は、約６０度に設定されており、第二の光学作用面１３Ｂ，１３Ｂにおける第二の突起１４の頂角も、同様にして約６０度に設定されている。但し、光学作用面における配光特性を全面にわたって均一化すべく、第二の突起１４の頂角を第一の突起１１の頂角よりも小さくすることがより好ましい。
【００３４】
以上の構成からなる光拡散アダプタ７によれば、前面部８の光入射面１０における第一の光学作用面１０Ａ及び非突起形成領域１０Ｂ，１０Ｂが、発光部４の光出射窓部５と対面するような形態で、折曲部９，９の一対の突部１２，１２が発光部４の一対の係止凹部６，６に係入して、発光部４に装着される。
【００３５】
そして、発光部４の発光動作により光出射窓部５から出射された光は、光拡散アダプタ７の光入射面１０に入射する。
【００３６】
そのうち、両端部を除く大半の光は、第一の光学作用面１０Ａにより広角に拡散されて光出射面１３から出射され、また、両端部の光は、第二の光学作用面１３Ｂにより広角に拡散されつつ光出射面１３から出射される。
【００３７】
したがって、内面（光入射面１０）の光拡散用の第一の突起１１，…を形成できない領域１０Ｂ，１０Ｂに入射する光、例えば発光部４の光軸に対して０度（平行）の光も、光出射面１３に形成された光拡散用の第二の突起１４，…によって拡散されることとなり、この結果、配光特性全体に対する配光ムラを無くすことができる。
【００３８】
尚、本発明は上記実施形態に限定されるものではなく、本発明の要旨を逸脱しない範囲にて種々の変更が可能である。例えば、第二の突起１４，…を形成した第二の光学作用面１３Ｂ，１３Ｂを非突起形成領域１０Ｂ，１０Ｂに対向させているが、第二の光学作用面１３Ｂ，１３Ｂを前面部８の長手方向に延長してその一部が第一の突起１１，…を有する第一の光学作用面１０Ａと重なるようにしてもよい。但し、この場合、第一の突起１１，…と第二の突起１４，…との対向部位は、厚みが薄くなるから機械的強度を確保する必要がある。
【００３９】
また、上記実施形態においては、前面部８が略平面であるため、第一の光学作用面１０Ａも平坦に形成されているが、例えば前面部８が緩やかに湾曲して連続した曲面に形成されているような場合、第一の光学作用面１０Ａを長手方向において複数に区画し、それぞれの区画を前面部の曲面に対応して段差状に設け、それぞれの領域における突起が他の領域における突起と段差を形成するように構成することで対応できる。
【００４０】
さらに、光学作用面としては、上記実施形態の如く、四角錐形状の突起にのみ限定されず、例えば、断面視三角形状の円周突起を同心円にして領域１０Ａに複数並設すると共に、この突起と同心からなる断面視三角形状の円弧突起を領域１３Ｂに複数並設するようにしてもよい。
【００４１】
【発明の効果】
以上の如く、本発明は、前面部の表裏面にそれぞれ光学作用面を形成し、発光部の光出射窓部から出射された光のうち、両端部を除く大半の光が、第一の光学作用面により広角に拡散されて、光出射面から出射される一方、両端部の光が、第二の光学作用面により広角に拡散されつつ、光出射面から出射されるよう構成しているため、発光部の光出射窓部の全域に光学作用面が所在して配光ムラの発生を好適に防止することができ、その結果、小型化されたストロボ装置にも採用することができる。
【図面の簡単な説明】
【図１】本発明の一実施形態に係るストロボ装置及び光拡散アダプタの外観斜視図
【図２】同実施形態の光拡散アダプタの背面図
【図３】同実施形態の光拡散アダプタの正面図
【図４】図２のＡ−Ａ線断面図
【図５】図２のＢ−Ｂ線断面図
【符号の説明】
１  本体
２  シュー部
３  本体部
４  発光部
５  光出射窓部
６  係止凹部
７  光拡散アダプタ
８  前面部
９  折曲部
１０  光入射面
１０Ａ  第一の光学作用面（突起形成領域）
１０Ｂ  非突起形成領域（非光学作用面）
１１  第一の突起
１２  突部
１３  光出射面
１３Ａ  非突起形成領域（非光学作用面）
１３Ｂ  第二の光学作用面（突起形成領域）
１４  第二の突起
【図１】
0004592933.tif 000002
【図２】
0004592933.tif 000003
【図３】
0004592933.tif 000004
【図４】
0004592933.tif 000005
【図５】
0004592933.tif 000006